(57)【要約】【課題】  乳房を美白することができるパッドを提供する。【解決手段】  パッド１を、乳房を覆う半球状に形成されたパッド本体１１と、パッド本体１１内側の窪み１２内に設けられたゲル状物１３とで構成し、ゲル状物１３を、美白成分を含有したゲル状に形成する。パッド本体１１を内側面を構成する柔軟性不織布２１と、外側面を構成する成形性不織布２２で構成し、該成形性不織布２２によってゲル状物１３の外側面への浸み出しを阻止する。この成形性不織布２２の外側面に、粘着力を有する粘着層３１を設け、粘着層３１をブラジャー等の下着３２に密着させた状態で、当該パッド１を下着３２に固定できるように構成する。【選択図】        図１
2005130959.tif 000002
【特許請求の範囲】
【請求項１】
立体状に形成されたパッド本体と、
美白成分を含有したゲル状に形成され前記パッド本体の窪み側の内側面に設けられたゲル状物と、
を備えたことを特徴とするパッド。
【請求項２】
前記ゲル状物は、ゲル化剤を含んでなることを特徴とした請求項１記載のパッド。
【請求項３】
前記パッド本体は、前記ゲル状物の外側面への浸み出しを阻止する不透過機能を備えたことを特徴とする請求項１又は２記載のパッド。
【請求項４】
前記パッド本体の外側面に、粘着力を有する粘着層を設けたことを特徴とする請求項１、２又は３記載のパッド。
【請求項５】
前記パッド本体の内側面に、前記ゲル状物の乾燥を防止するとともに使用時に剥離されるフィルムを設けたことを特徴とする請求項１から４にいずれか記載のパッド。
【発明の詳細な説明】
【技術分野】
【０００１】
本発明は、乳房を覆うパッドに関する。
【背景技術】
【０００２】
従来、日焼けによるシミやソバカス等の色素の沈着を防止する際には、美白成分を含有する化粧品が使用されていた。
【０００３】
この化粧品としては、ローション剤が挙げられ、対象箇所に塗って使用していた。また、ローション剤を染み込ませたコットンシートを対象箇所に貼着して使用するという手法も取られており、美白効果の向上が図られていた。
【発明の開示】
【発明が解決しようとする課題】
【０００４】
しかしながら、このようなローション剤にあっては、乳房を美白するには不向きであり、大きな効果が期待できなかった。
【０００５】
本発明は、このような従来の課題に鑑みてなされたものであり、乳房を美白することができるパッドを提供することを目的とするものである。
【課題を解決するための手段】
【０００６】
前記課題を解決するために本発明の請求項１のパッドにあっては、立体状に形成されたパッド本体と、美白成分を含有したゲル状に形成され前記パッド本体の窪み側の内側面に設けられたゲル状物と、を備えている。
【０００７】
すなわち、乳首や乳輪の色素沈着を防止する際には、パット本体で乳首や乳輪を覆う。すると、前記パッド本体の内側面に設けられた美白成分を含有するゲル状物が乳首や乳輪に密着する。
【０００８】
このとき、前記パッド本体は立体状に形成されている。このため、平面状のシートを用いる場合と比較して、部分的な浮きが防止される。また、美白成分を含有した前記ゲル状物は、ゲル状に形成されている。このため、当該ゲル状物は、凹凸に応じて密着される。
【０００９】
また、請求項２のパッドにおいては、前記ゲル状物は、ゲル化剤を含んでなる。
【００１０】
すなわち、ゲル状物は、ゲル化剤によってゲル状に形成される。
【００１１】
さらに、請求項３のパッドでは、前記パッド本体は、前記ゲル状物の外側面への浸み出しを阻止する不透過機能を備えている。
【００１２】
すなわち、パッド本体は、ゲル状物の外側面への浸み出しを阻止する不透過機能を備えている。このため、当該パッドをブラジャー等の下着の内側に設けた状態において、下着へのゲル状物の浸み出しが防止される。
【００１３】
加えて、請求項４のパッドにあっては、前記パッド本体の外側面に、粘着力を有する粘着層を設けた。
【００１４】
これにより、パッド本体は、粘着層の粘着力によってブラジャー等の下着の内側面に固定される。
【００１５】
また、請求項５のパッドにおいては、前記パッド本体の内側面に、前記ゲル状物の乾燥を防止するとともに使用時に剥離されるフィルムを設けた。
【００１６】
これにより、使用前においては、パッド本体に設けられたフィルムによってゲル状物の乾燥が防止される。また、使用時には、前記パッド本体より前記フィルムが容易に剥離される。
【発明の効果】
【００１７】
以上説明したように本発明の請求項１のパッドにあっては、立体状に形成されたパッド本体を、乳房に密着して装着することができる。このため、平面状のシートを用いる場合と比較して、部分的な浮きを防止することができる。これにより、美白効果を斑無く均等に得ることができる。また、このパッド上にブラジャー等の下着を装着して押さえることで、美白成分による効果を長時間に渡って得ることができる。
【００１８】
そして、美白成分を含有したゲル状物は、ゲル状に形成されており、当該ゲル状物を、乳首や乳輪等の凹凸に応じて密着させることができる。また、ゲル状物に美白成分が含有されているため、揮発し易いローション剤を使用する場合と比較して、美白効果を長時間に渡って得ることができる。
【００１９】
したがって、乳房の美白に適したパッドと成り得る。
【００２０】
また、請求項２のパッドにおいては、ゲル状物をゲル化剤によってゲル状に形成することができる。
【００２１】
さらに、請求項３のパッドでは、パッド本体がゲル状物の外側面への浸み出しを阻止する不透過機能を備えているため、当該パッドをブラジャー等の下着の内側に設けた状態において、下着へのゲル状物の浸み出しを防止することができる。
【００２２】
これにより、下着の汚れを防止することができる。
【００２３】
加えて、請求項４のパッドにあっては、パッド本体を粘着層の粘着力によってブラジャー等の下着の内側面に固定することができる。このため、使用時のズレ落ちを防止することができる。
【００２４】
また、請求項５のパッドにおいては、使用前ではパッド本体に設けられたフィルムによってゲル状物の乾燥を防止することができ、使用時には前記パッド本体より前記フィルムを容易に剥離することができる。
【００２５】
このため、使用前において、美白成分による薬効の低下を防止することができる。
【発明を実施するための最良の形態】
【００２６】
以下、本発明の一実施の形態を図に従って説明する。図１は、本実施の形態にかかるパッド１を示す図であり、該パッド１は、乳房を覆うように取り付けられるものである。
【００２７】
このパッド１は、乳房を覆う半球状に形成されたパッド本体１１と、該パッド本体１１内側の窪み１２内に設けられたゲル状物１３とによって構成されている。
【００２８】
このゲル状物１３は、少なくとも美白成分とゲル化剤とを含有したゲル状に形成されており、その成分の処方の一例を次に示す。なお、以下の表示の％は、総て重量％とする。
【００２９】
溶媒、感触改良剤として
【００３０】
ＰＧ  ・・・・・・・・・・・・・・・・  ５％
【００３１】
化粧用濃グリセリン  ・・・・・・・・・  ５％
【００３２】
美白効果、抗酸化作用、コラーゲン生成促進作用成分として
【００３３】
アスコルビン酸リン酸ＮＡ  ・・・・・・  ５％
【００３４】
ＰＨ調整剤、バッファー剤として
【００３５】
クエン酸  ・・・・・・・・・・・・・・  適量
【００３６】
不織布の変色防止用として
【００３７】
ピロ亜硫酸ナトリウム  ・・・・・・・・  ０．１％
【００３８】
保湿剤として
【００３９】
オリーブ油  ・・・・・・・・・・・・・  ３％
【００４０】
保湿剤、消炎剤として
【００４１】
アロエエキス  ・・・・・・・・・・・・  ３％
【００４２】
防黴剤として
【００４３】
塩化セチルピリジニウム  ・・・・・・・  ０．０５％
【００４４】
防腐剤として
【００４５】
メチルパラベン  ・・・・・・・・・・・  ０．１％
【００４６】
エチルパラベン  ・・・・・・・・・・・  ０．０５％
【００４７】
ゲル化剤として
【００４８】
カラギーナン    ・・・・・・・・・・・  １０％
【００４９】
そして、これらの成分に精製水を加えて１００％とする。
【００５０】
前記ゲル化剤としては、前述した「カラギーナン」の他に、寒天、アルギン酸、キサンタンガム、ジェランガム、カードラン、プルラン、ゼラチン、ペクチン、タマリンドガム等が挙げられ、これらのいずれを用いても良く、同様の効果を得ることができる。
【００５１】
これらからなるゲル状物１３は、前記窪み１２に充填された後、固化されることによって、前記パッド本体１１に定着されている。
【００５２】
一方、該パッド本体１１は、二層構造を成し、窪んだ内側面を構成する内側層は、柔軟性を有した柔軟性不織布２１によって形成されている。つまり、肌に接する内側面を、前記柔軟性不織布２１で構成することによって、肌触り感の向上が図られている。また、突出した外側面側は、単独で形状維持可能な成形性不織布２２で構成されており、前記柔軟性不織布２１による肌触り感を損なうこと無く、半球形状が維持できるように構成されている。
【００５３】
なお、前記パッド本体１１を半球状に形成した場合を例に挙げて説明したが、この形状に限定されるものでは無く、装着時に乳首が位置する前記パッド本体１１の部位に外側へ突出する出っ張り部を設け、乳首との干渉を防止する形状としても良い。
【００５４】
前記成形性不織布２２は、前記ゲル状物１３の外側面への浸み出しを阻止する不透過機能を有している。つまり、前記ゲル状物１３は、所定の粘度に設定されており、前記成形性不織布２２の目の粗さ及び厚みは、前記ゲル状物１３の透過を不能とする細かさ及び厚さに設定されている。これにより、前記パッド本体１１は、前記ゲル状物１３の外側面への浸み出しを阻止する不透過機能を備えている。
【００５５】
なお、前記成形性不織布２２を不透過性としてパッド本体１１に不透過機能を持たせたが、これに限定されるものでは無く、前記柔軟性不織布２１に不透過性を持たせたり、不透過性を有した透過防止層を別途設けてパッド本体１１に不透過機能を持たせても良い。
【００５６】
この成形性不織布２２の外側面には、粘着力を有する粘着層３１が中央部に設けられており、当該粘着層３１をブラジャー等の下着３２に密着させた状態で、当該パッド１を下着３２に固定できるように構成されている。
【００５７】
また、前記パッド本体１１の内側面には、バリヤーフィルム４１が設けられている。該バリヤーフィルム４１は、前記窪み１２の外周部にて前記パッド本体１１に固定されており、前記ゲル状物１３の乾燥を防止できるように構成されている。このバリヤーフィルム４１は、前記パッド本体１１に剥離可能に固定されており、使用時には、当該バリヤーフィルム４１を容易に剥離できるように構成されている。
【００５８】
以上の構成にかかる本実施の形態において、乳首や乳輪の色素沈着を防止する際には、前記パット本体１１で乳首や乳輪を覆う。すると、前記パッド本体１１の内側面に設けられた美白成分を含有するゲル状物１３が乳首や乳輪に密着する。
【００５９】
このとき、前記パッド本体１１は半球状に形成されており、当該パッド本体１１を、乳房に密着して装着することができる。このため、ローション剤を染み込ませた平面状のシートを用いる場合と比較して、部分的な浮きを防止することができる。これにより、美白効果を斑無く均等に得ることができる。そして、このパッド１上にブラジャー等の下着３２を装着して押さえることで、美白成分による効果を長時間に渡って得ることができる。
【００６０】
そして、美白成分を含有した前記ゲル状物１３は、ゲル化剤によってゲル状に形成されている。このため、当該ゲル状物１３を、乳首や乳輪等の凹凸に応じて密着させることができる。また、このゲル状物１３に美白成分が含有されているため、揮発し易いローション剤を使用する場合と比較して、美白効果を長時間に渡って得ることができる。
【００６１】
したがって、乳房の美白に適したパッド１と成り得る。
【００６２】
また、前記パッド本体１１は、前記ゲル状物１３の外側面への浸み出しを阻止する不透過機能を備えている。このため、当該パッド１をブラジャー等の下着３２の内側に設けた状態において、下着３２へのゲル状物１３の浸み出しを防止することができる。
【００６３】
これにより、下着３２の汚れを防止することができる。
【００６４】
さらに、前記パッド本体１１の外側面には、粘着層３１が設けられており、当該パッド本体１１を粘着層３１の粘着力によってブラジャー等の下着３２の内側面に固定することができる。このため、使用時の不用意なズレ落ちを防止することができる。
【００６５】
そして、前記パッド本体１１の内側面には、バリヤーフィルム４１が設けられている。このため、使用前には、このバリヤーフィルム４１によってゲル状物１３の乾燥を防止することができる。また、使用時には、前記パッド本体１１より前記バリヤーフィルム４１を容易に剥離することができる。
【００６６】
このため、使用前において、美白成分による薬効の低下を防止することができる。
【００６７】
なお、本実施の形態にあっては、パッド本体１１内側の窪み１２にゲル状部材１３を充填して設けた場合を例に挙げて説明したが、これに限定されるものでは無く、例えば、予め板状に形成されたゲル状部材１３をパッド本体１１に積層した状態で半球状にプレスし、図２に示すように、前記ゲル状部材１３を前記パッド本体１１に沿って一体的に形成しても良い。
【００６８】
このように形成した場合にも、図３に示すように、装着時に乳首が位置する前記パッド本体１１の部位に外側へ突出する出っ張り部５１を設けて、乳首との干渉を防止しても良い。
【図面の簡単な説明】
【００６９】
【図１】本発明の一実施の形態の断面を示す模式図である。
【図２】他の実施の形態の要部の断面を示す模式図である。
【図３】同実施の形態の変形例を示す模式図である。
【符号の説明】
【００７０】
１    パッド
１１    パッド本体
１２    窪み
１３    ゲル状物
２２    成形性不織布
３１    粘着層
３２    下着
【図１】
2005130959.tif 000003
【図２】
2005130959.tif 000004
【図３】
2005130959.tif 000005